(57)【特許請求の範囲】
【請求項１】
特徴情報記憶部に記憶された特徴情報及び当該特徴情報に対応付けられた初期ポイントに基づいて、記憶部に記憶された評価対象画像を評価し、当該評価結果により前記評価対象画像に対応付けられて前記記憶部に記憶されている優先度を更新する画像評価方法であって、
前記評価対象画像毎に、当該評価対象画像に、前記特徴情報記憶部に記憶された前記特徴情報のいずれかが含まれるか否かを判断する第１のステップ、及び、
前記第１のステップで、前記評価対象画像に前記特徴情報が含まれていると判断したときは、当該評価対象画像に含まれている前記特徴情報の前記初期ポイントの合計値を、前記記憶部の前記評価対象画像に対応付けられた前記優先度に加算し、前記評価対象画像にいずれの前記特徴情報も含まれていないと判断したときは、前記特徴情報記憶部に記憶されている全ての前記特徴情報の前記初期ポイントの合計値を、前記記憶部の前記評価対象画像に対応付けられた前記優先度から減算する第２のステップを有することを特徴とする画像評価方法。
【請求項２】
前記特徴情報記憶部は、前記特徴情報に対応付けられた表示属性基準値を記憶し、
前記記憶部は、前記評価対象画像に対応付けられた、当該評価対象画像を表示するときの表示態様である表示属性情報を記憶し、
前記第１のステップで、前記評価対象画像に前記特徴情報が含まれていると判断したときに、当該評価対象画像に含まれている前記特徴情報の前記表示属性基準値により前記記憶部の前記評価対象画像に対応付けられた前記表示属性情報を更新する第３のステップを有することを特徴とする請求項１に記載の画像評価方法。
【請求項３】
前記表示属性基準値及び前記表示属性情報には、前記表示態様としての拡大表示の有無が設定され、
前記第３のステップにおいて、前記表示属性情報を更新するときは、拡大表示をしないを優先することを特徴とする請求項２に記載の画像評価方法。
【請求項４】
前記表示属性基準値及び前記表示属性情報には、前記表示態様としての表示時間が設定され、
前記第３のステップにおいて、前記表示属性情報を更新するときは、表示時間が短い方を優先することを特徴とする請求項２に記載の画像評価方法。
【請求項５】
特徴情報及び当該特徴情報に対応付けられた初期ポイントを記憶する特徴情報記憶部と、
評価対象画像及び当該評価対象画像に対応付けられた優先度を記憶する記憶部と、
前記評価対象画像毎に、当該評価対象画像に、前記特徴情報記憶部に記憶された前記特徴情報のいずれかが含まれるか否かを判断し、前記評価対象画像に前記特徴情報が含まれていると判断したときは、当該評価対象画像に含まれている前記特徴情報の前記初期ポイントの合計値を、前記記憶部の前記評価対象画像に対応付けられた前記優先度に加算し、前記評価対象画像にいずれの前記特徴情報も含まれていないと判断したときは、前記特徴情報記憶部に記憶されている全ての前記特徴情報の前記初期ポイントの合計値を、前記記憶部の前記評価対象画像に対応付けられた前記優先度から減算する評価部と、を有することを特徴とする画像処理装置。
【請求項６】
前記特徴情報記憶部は、前記特徴情報に対応付けられた表示属性基準値を記憶し、
前記記憶部は、前記評価対象画像に対応付けられた、当該評価対象画像を表示するときの表示態様である表示属性情報を記憶し、
前記評価部は、前記評価対象画像に前記特徴情報が含まれていると判断したときに、当該評価対象画像に含まれている前記特徴情報の前記表示属性基準値により前記記憶部の前記評価対象画像に対応付けられた前記表示属性情報を更新することを特徴とする請求項５に記載の画像処理装置。
【請求項７】
前記表示属性基準値及び前記表示属性情報には、前記表示態様としての拡大表示の有無が設定され、
前記評価部は、前記表示属性情報を更新するときは、拡大表示をしないを優先することを特徴とする請求項６に記載の画像処理装置。
【請求項８】
前記表示属性基準値及び前記表示属性情報には、前記表示態様としての表示時間が設定され、
前記評価部は、前記表示属性情報を更新するときは、表示時間が短い方を優先することを特徴とする請求項６に記載の画像処理装置。
【請求項９】
前記記憶部から前記評価対象画像並びに前記優先度及び前記表示属性情報を取り出し、前記評価対象画像毎に前記優先度及び前記表示属性情報に基づいて表示態様を決定してスライドショーとして出力するスライドショー生成部を有することを特徴とする請求項６〜８のいずれか一項に記載の画像処理装置。
【請求項１０】
前記スライドショー生成部は、前記表示態様を決定するときに、前記評価対象画像に対応付けられた前記優先度が所定の閾値以上であると判断したときに、当該評価対象画像に対応付けられた前記表示属性情報を当該評価対象画像の表示態様として決定し、前記評価対象画像に対応付けられた前記優先度が所定の閾値より小さいと判断したときに、当該評価対象画像に対応付けられた前記表示属性情報を変更して当該評価対象画像の表示態様として決定することを特徴とする請求項９に記載の画像処理装置。
【請求項１１】
前記スライドショー生成部は、前記評価対象画像に設定された前記優先度が所定の閾値より小さいと判断したときに、前記表示態様として、拡大表示をしないようにし、かつ、表示時間を短くするように決定することを特徴とする請求項１０に記載の画像処理装置。
【請求項１２】
前記記憶部に記憶されている前記評価対象画像から前記特徴情報を抽出して前記特徴情報記憶部に登録する登録部を有することを特徴とする請求項５〜１１のいずれか一項に記載の画像処理装置。
【請求項１３】
前記特徴情報記憶部に記憶される前記特徴情報が、被写体の画像であって、
前記登録部は、前記記憶部に記憶されている前記評価対象画像に含まれる前記被写体の画像を抽出し、当該評価対象画像全体に対して所定の割合以上で含まれる前記被写体の画像を前記特徴情報として前記特徴情報記憶部に登録するように構成されていることを特徴とする請求項１２に記載の画像処理装置。
【請求項１４】
前記特徴情報記憶部に記憶される前記特徴情報が、被写体の画像であって、
前記登録部は、前記記憶部に記憶されている前記評価対象画像の略中央部に撮影されている前記被写体の画像を抽出し、当該被写体の画像を前記特徴情報として前記特徴情報記憶部に登録するように構成されていることを特徴とする請求項１２に記載の画像処理装置。
【請求項１５】
請求項５〜１４のいずれか一項に記載の画像処理装置と、
光学系及び当該光学系で結像された像を撮像する撮像素子を備え、当該撮像素子で撮像された画像を前記評価対象画像として前記記憶部に記憶させる撮像部と、を有することを特徴とするカメラ。
【請求項１６】
特徴情報及び当該特徴情報に対応付けられた初期ポイントを記憶する特徴情報記憶部と、評価対象画像及び当該評価対象画像に対応付けられた優先度を記憶する記憶部と、を有するコンピュータで実行されるプログラムであって、
前記記憶部から前記評価対象画像を読み出して、前記評価対象画像毎に、当該評価対象画像に、前記特徴情報記憶部に記憶された前記特徴情報のいずれかが含まれるか否かを判断するステップ、及び、
前記評価対象画像に前記特徴情報が含まれていると判断したときは、当該評価対象画像に含まれている前記特徴情報の前記初期ポイントの合計値を、前記記憶部の前記評価対象画像に対応付けられた前記優先度に加算し、前記評価対象画像にいずれの前記特徴情報も含まれていないと判断したときは、前記特徴情報記憶部に記憶されている全ての前記特徴情報の前記初期ポイントの合計値を、前記記憶部の前記評価対象画像に対応付けられた前記優先度から減算するステップを有することを特徴とするプログラム。
【発明の詳細な説明】
【技術分野】
【０００１】
本発明は、画像評価方法、画像処理装置、この画像処理装置を有するカメラ及びプログラムに関する。
【背景技術】
【０００２】
デジタルカメラ等で撮影されたデジタル画像をビデオ出力し、それをテレビモニタ等の表示再生装置で表示するという使い方がされており、それらは一般的に「スライドショー」と呼ばれる形態で実現されている。メモリカード等に記録保存されているデジタル画像からスライドショーを生成する際に、これらのデジタル画像に設定された優先度（そのデジタル画像に対するユーザのお気に入り度合いを表す値）に応じて画像の表示順序を決定するように構成された画像再生装置及びプログラムが知られている（例えば、特許文献１参照）。また、スライドショーで表示されるデジタル画像の優先度に基づき、当該表示対象画像の表示時間を変化させるように構成された画像再生装置及びプログラムも知られている（例えば、特許文献２参照）。
【特許文献１】特開２００６−２７９１１８号公報
【特許文献２】特開２００６−１５７３２４号公報
【発明の開示】
【発明が解決しようとする課題】
【０００３】
しかしながら、従来の方法では、スライドショーを表示する際には、主要被写体の写っている画像をユーザが手動で一枚一枚ピックアップし、優先度（お気に入り）を登録することが前提であり、非常に手間がかかるという課題があった。
【０００４】
本発明はこのような課題に鑑みてなされたものであり、予め登録されている主要被写体の情報に基づいて、デジタル画像に対する優先度等の設定を行う画像評価装置及びこの画像評価装置を有するカメラと、画像評価方法、特徴情報登録方法、スライドショー生成方法及びこれらの方法を実行可能なプログラムとを提供することを目的とする。
【課題を解決するための手段】
【０００５】
前記課題を解決するために、本発明に係る画像評価方法は、特徴情報記憶部に記憶された特徴情報及び当該特徴情報に対応付けられた初期ポイントに基づいて、記憶部に記憶された評価対象画像を評価し、当該評価結果によりこの評価対象画像に対応付けられて記憶部に記憶されている優先度を更新する画像評価方法であって、評価対象画像毎に、当該評価対象画像に、特徴情報記憶部に記憶された特徴情報のいずれかが含まれるか否かを判断する第１のステップ、及び、この第１のステップで、評価対象画像に特徴情報が含まれていると判断したときは、当該評価対象画像に含まれている特徴情報の初期ポイントの合計値を、記憶部の評価対象画像に対応付けられた優先度に加算し、評価対象画像にいずれの特徴情報も含まれていないと判断したときは、特徴情報記憶部に記憶されている全ての特徴情報の初期ポイントの合計値を、記憶部の評価対象画像に対応付けられた優先度から減算する第２のステップを有することを特徴とする。
【０００６】
このような画像評価方法において、特徴情報記憶部は、特徴情報に対応付けられた表示属性基準値を記憶し、記憶部は、評価対象画像に対応付けられた、当該評価対象画像を表示するときの表示態様である表示属性情報を記憶し、第１のステップで、評価対象画像に特徴情報が含まれていると判断したときに、当該評価対象画像に含まれている特徴情報の表示属性基準値により記憶部の評価対象画像に対応付けられた表示属性情報を更新する第３のステップを有することが好ましい。
【０００７】
また、このような画像評価方法において、表示属性基準値及び表示属性情報には、表示態様としての拡大表示の有無が設定され、第３のステップにおいて、表示属性情報を更新するときは、拡大表示をしないを優先することが好ましい。
また、このような画像評価方法において、表示属性基準値及び表示属性情報には、表示態様としての表示時間が設定され、第３のステップにおいて、表示属性情報を更新するときは、表示時間が短い方を優先することが好ましい。
【０００８】
また、本発明に係る画像処理装置は、特徴情報及び当該特徴情報に対応付けられた初期ポイントを記憶する特徴情報記憶部と、評価対象画像及び当該評価対象画像に対応付けられた優先度を記憶する記憶部と、評価対象画像毎に、当該評価対象画像に、特徴情報記憶部に記憶された特徴情報のいずれかが含まれるか否かを判断し、この評価対象画像に特徴情報が含まれていると判断したときは、当該評価対象画像に含まれている特徴情報の初期ポイントの合計値を、記憶部の評価対象画像に対応付けられた優先度に加算し、評価対象画像にいずれの特徴情報も含まれていないと判断したときは、特徴情報記憶部に記憶されている全ての特徴情報の初期ポイントの合計値を、記憶部の評価対象画像に対応付けられた優先度から減算する評価部と、を有することを特徴とする。
【０００９】
このような画像処理装置において、特徴情報記憶部は、特徴情報に対応付けられた表示属性基準値を記憶し、記憶部は、評価対象画像に対応付けられた、当該評価対象画像を表示するときの表示態様である表示属性情報を記憶し、評価部は、評価対象画像に特徴情報が含まれていると判断したときに、当該評価対象画像に含まれている特徴情報の表示属性基準値により記憶部の評価対象画像に対応付けられた表示属性情報を更新することが好ましい。
【００１０】
また、このような画像処理装置において、表示属性基準値及び表示属性情報には、表示態様としての拡大表示の有無が設定され、評価部は、表示属性情報を更新するときは、拡大表示をしないを優先することが好ましい。
また、このような画像処理装置において、表示属性基準値及び表示属性情報には、表示態様としての表示時間が設定され、評価部は、表示属性情報を更新するときは、表示時間が短い方を優先することが好ましい。
【００１１】
また、このような画像処理装置は、記憶部から評価対象画像並びに優先度及び表示属性情報を取り出し、評価対象画像毎に優先度及び表示属性情報に基づいて表示態様を決定してスライドショーとして出力するスライドショー生成部を有することが好ましい。
【００１２】
また、このような画像処理装置において、スライドショー生成部は、表示態様を決定するときに、評価対象画像に対応付けられた優先度が所定の閾値以上であると判断したときに、当該評価対象画像に対応付けられた表示属性情報を当該評価対象画像の表示態様として決定し、評価対象画像に対応付けられた優先度が所定の閾値より小さいと判断したときに、当該評価対象画像に対応付けられた表示属性情報を変更して評価対象画像の表示態様として決定することが好ましい。
【００１３】
また、このような画像処理装置において、スライドショー生成部は、評価対象画像に設定された優先度が所定の閾値より小さいと判断したときに、表示態様として、拡大表示をしないようにし、かつ、表示時間を短くするように決定することが好ましい。
【００１４】
また、このような画像処理装置は、記憶部に記憶されている評価対象画像から特徴情報を抽出して特徴情報記憶部に登録する登録部を有することが好ましい。
【００１５】
また、このような画像処理装置において、特徴情報記憶部に記憶される前記特徴情報が、被写体の画像であって、登録部は、記憶部に記憶されている評価対象画像に含まれる被写体の画像を抽出し、当該評価対象画像全体に対して所定の割合以上で含まれる被写体の画像を特徴情報として特徴情報記憶部に登録するように構成されていることが好ましい。
【００１６】
また、このような画像処理装置において、特徴情報記憶部に記憶される特徴情報が、被写体の画像であって、登録部は、記憶部に記憶されている評価対象画像の略中央部に撮影されている被写体の画像を抽出し、当該被写体の画像を特徴情報として特徴情報記憶部に登録するように構成されていることが好ましい。
【００１７】
また、本発明に係るカメラは、上述の画像処理装置のいずれかと、光学系及び当該光学系で結像された像を撮像する撮像素子を備え、当該撮像素子で撮像された画像を評価対象画像として記憶部に記憶させる撮像部と、を有することを特徴とする。
【００１８】
また、本発明に係るプログラムは、特徴情報及び当該特徴情報に対応付けられた初期ポイントを記憶する特徴情報記憶部と、評価対象画像及び当該評価対象画像に対応付けられた優先度を記憶する記憶部と、を有するコンピュータで実行されるプログラムであって、記憶部から評価対象画像を読み出して、この評価対象画像毎に、当該評価対象画像に、特徴情報記憶部に記憶された特徴情報のいずれかが含まれるか否かを判断するステップ、及び、評価対象画像に特徴情報が含まれていると判断したときは、当該評価対象画像に含まれている特徴情報の初期ポイントの合計値を、記憶部の評価対象画像に対応付けられた優先度に加算し、評価対象画像にいずれの特徴情報も含まれていないと判断したときは、特徴情報記憶部に記憶されている全ての特徴情報の初期ポイントの合計値を、記憶部の評価対象画像に対応付けられた優先度から減算するステップを有することを特徴とする。
【発明の効果】
【００１９】
本発明に係る画像評価方法、画像処理装置、この画像処理装置を有するカメラ及びプログラムを以上のように構成すると、特徴情報（例えば、主要被写体の画像）を登録しておくだけで、各評価対象画像に対して自動的に優先度（ユーザのその画像に対する「お気に入り」の度合いを示すポイント）が設定可能となり、さらには各特徴情報に応じた属性情報（表示属性）を設定することが可能となる。
【発明を実施するための最良の形態】
【００２０】
以下、本発明の好ましい実施形態について図面を参照して説明する。まず、図１〜図５を用いて本実施例に係る画像評価装置（画像評価システム１２）の構成について説明する。なお、本実施例においては、この画像評価システム１２を、撮像部１１を有するデジタルカメラ１０に適用した場合について説明する。図１に示すように、このデジタルカメラ１０は、表示再生装置であるディスプレイ２０とビデオ出力線３０を介して接続されている。このデジタルカメラ１０は、記録されているデジタル画像を、予め決められたレイアウトや順序により、若しくは、ランダムにディスプレイ２０に出力して表示するスライドショー機能が設けられている。
【００２１】
図２に示すように、デジタルカメラ１０は、撮像部１１と、この撮像部１１で撮像されたデジタル画像の評価を行う画像評価システム１２と、後述するスライドショー生成部１７で生成されたスライドショーをディスプレイ２０に出力するビデオ出力部１８とから構成される。また、画像評価システム１２は、撮像部１１で撮影されたデジタル画像が記憶される画像記憶部１３と、デジタル画像の評価で使用される主要被写体の情報が記憶される主要被写体記憶部１４と、デジタル画像の評価を行う評価部１５と、主要被写体記憶部１４に主要被写体の情報を登録する登録部１６と、画像記憶部１３に記憶されているデジタル画像を用いてスライドショーを生成するスライドショー生成部１７とから構成される。なお、このデジタルカメラ１０において、撮像部１１は光学系と撮像素子とを有して構成され、光学系により撮像素子の撮像面に結像された像を検出してデジタル画像とし、このデジタル画像を画像記憶部１３に保存記録するように構成されている。
【００２２】
画像記憶部１３に記憶されるデジタル画像は、図３に示すデータ構造５０を有しており、ヘッダ領域５１、属性情報領域５２及び画像情報領域５３から構成されている。ここで、属性情報領域５２は、デジタル画像の属性情報が記憶される部分であり、優先度が記憶される優先度領域５２ａ、表示属性情報として拡大表示情報が記憶される拡大表示領域５２ｂ及び表示属性情報として表示時間情報が記憶される表示時間領域５２ｃから構成される。また、画像情報領域５３は、撮像部１１で撮影されたデジタル画像そのものが記憶される部分である。なお、以降の説明では優先度を数値（ポイント）で表現した場合を例にして説明する。また、このようなデータ構造としては、ＪＥＩＤＡで規格されたＥｘｉｆ（Exchangeable image file format）等が知られている。ここで、優先度や表示属性情報は、デジタル画像の上記領域に記憶するのではなく、画像記憶部１３にこの画像と対応付けて記憶するように構成することも可能である。
【００２３】
主要被写体記憶部１４は、図４に示すように、特徴情報（本実施例においては主要被写体の画像）とその特徴対応情報を１レコード（このレコードを「主要被写体情報１４０」と呼ぶ）とし、複数の主要被写体情報１４０を記憶可能に構成されており、主要被写体名カラム１４ａ、主要被写体画像カラム１４ｂ及び被写体属性１４ｃから構成され、さらに、被写体属性１４ｃは、初期情報カラム１４ｄ、拡大表示カラム１４ｅ及び表示時間カラム１４ｆから構成される。図５は、登録部１６により主要被写体記憶部１４に対して主要被写体情報１４０を登録するための登録画面Ｇ１を示しており、主要被写体画像カラム１４ｂに記憶される主要被写体画像１００と、主要被写体名カラム１４ａに記憶される主要被写体名１０４と、初期情報カラム１４ｄに記憶される初期ポイント１０５と（上述のように、本実施例では優先度を数値で表しているため、初期情報としても数値として表現される）、拡大表示カラム１４ｅに記憶される拡大表示情報１０８と、表示時間カラム１４ｆに記憶される表示時間情報１０９とが表示されている。ここで、初期ポイント１０５は、アップボタン１０６若しくはダウンボタン１０７の操作により増減することが可能である。また、拡大表示情報１０８は、「可」、「不可」を選択可能に構成され、表示時間情報１０９は、「長い」、「標準」、「短い」を選択可能に構成されている。そして、この登録画面Ｇ１で入力されたこれらの属性情報は、登録部１６により主要被写体記憶部１４に記憶される。
【００２４】
なお、主要被写体画像１００は、図５に示すように、複数の画像、例えば、正面画像１０１，左側面画像１０２及び右側面画像１０３から構成することも可能であり、このデータ構造は、後述するマッチング処理に依存する。また、この主要被写体画像１００は、このデジタルカメラ１０の画像記憶部１３に記憶されているデジタル画像から利用者に選択させて登録することができる。例えば、登録部１６が、画像記憶部１３に記憶されているデジタル画像を読み出し、それぞれのデジタル画像に撮影されている被写体画像を抽出し、撮影されている割合の多い被写体の画像を主要被写体画像１００として登録するように構成することも可能である。あるいは、各デジタル画像の略中心部に移っている被写体の画像を主要被写体画像１００として登録するように構成する方法や、デジタル画像を例えばディスプレイ２０に表示して、利用者に被写体を選択させる（カーソル等を操作させて選択させる）ように構成することも可能である。
【００２５】
それでは、図６及び図７を用いて、評価部１５による画像評価処理について説明する。この評価部１５は、例えば、撮像部１１により撮影が行われ、画像記憶部１３にデジタル画像が登録されたタイミングで起動され、この登録されたデジタル画像に対して処理が実行される。なお、以降の説明では、撮像部１１により登録されたこのデジタル画像を「評価対象画像１３０」と呼ぶ。評価部１５は、まず、主要被写体記憶部１４に登録されている主要被写体情報１４０の主要被写体画像１００、初期ポイント１０５、拡大表示情報１０８及び表示時間情報１０９のすべてを読み出す（ステップＳ６０）。また、画像記憶部１３から評価対象画像１３０を読み出す（ステップＳ６１）。そして、この評価対象画像１３０に対して、主要被写体情報１４０の各々を構成する主要被写体画像１００を１枚ずつマッチング処理を行い、この評価対象画像１３０に主要被写体画像１００が含まれるか否かの判別処理を行う（ステップＳ６２）。
【００２６】
主要被写体判別処理Ｓ６２を詳しく説明すると、まず、上述のステップＳ６０で読み出された主要被写体情報１４０の１つを選択し（ステップＳ６２１）、評価対象画像１３０と選択された主要被写体情報１４０の主要被写体画像１００とのマッチング処理を行う（ステップＳ６２２）。このマッチング処理の方法としては、例えば、主要被写体画像１００の特徴点を抽出し、この特徴点が評価対象画像１３０に含まれるか否かを検査して行われる（例えば、相関値を算出して評価を行う）。そして、主要被写体画像１００が含まれると判断した場合は（ステップＳ６２３）、この主要被写体画像１００に対応する初期ポイント１０５を加算ポイントＰに加える（ステップＳ６２４）。そして、この主要被写体画像１００に対応する主要被写体情報１４０の被写体属性１４ｃに、表示時間情報１０９及び拡大表示情報１０８が登録されているか否かを判断し（ステップＳ６２５）、登録されている場合は、選択表示属性Ｅにこの表示時間情報１０９及び拡大表示情報１０８を設定する（ステップＳ６２６）。但し、このとき、選択表示属性Ｅに既に表示時間情報１０９及び拡大表示情報１０８が設定されている場合には、表示時間に対しては「短い」を優先し、拡大表示に対しては「不可」を優先する。一方、ステップ６２３で、評価対象画像１３０に選択した主要被写体画像１００が含まれていないと判断した場合は、この主要被写体画像１００に対応する初期ポイント１０５を減算ポイントＭに加える（ステップＳ６２７）。そして、すべての主要被写体情報１４０を評価したか否かを判断し（ステップＳ６２８）、すべての主要被写体情報１４０を評価するまで、上述のステップＳ６２１〜Ｓ６２７を繰り返し処理する。
【００２７】
上述の主要被写体判別処理Ｓ６２で、評価対象画像１３０に、すべての主要被写体情報１４０に含まれる主要被写体画像１００の少なくとも１つが含まれていたと判断された場合は（ステップＳ６３）、評価対象画像（デジタル画像）１３０の属性情報領域５２の優先度領域５２ａに設定されている優先度に加算ポイント値Ｐを加算し（ステップＳ６４）、また、拡大表示領域５２ｂ及び表示時間領域５２ｃにそれぞれ選択表示属性Ｅを設定する（ステップＳ６５）。一方、ステップＳ６３で、評価対象画像１３０に主要被写体画像１００のいずれもが含まれていないと判断された場合は、評価対象画像１３０の属性情報領域５２を構成する優先度領域５２ａに設定されている優先度から減算ポイント値Ｍを減算する（ステップＳ６６）。
【００２８】
このように、評価対象画像１３０と主要被写体情報１４０の主要被写体画像１００とのマッチング処理を行い、評価対象画像１３０に主要被写体画像１００が含まれる場合は、優先度にその主要被写体の初期ポイントを加算し、いずれも含まれていない場合はすべての主要被写体の初期ポイントを合算して優先度から減算することにより、その評価対象画像１３０に対するユーザのお気に入り度合いを優先度に適確に反映させることができる。
【００２９】
なお、評価部１５は、画像記憶部１３に記憶されたデジタル画像（評価対象画像１３０）を読み出して、上述の画像評価処理を行い、その結果をディスプレイ２０等に表示して、この評価対象画像１３０に設定された被写体に関する属性情報を利用者が修正可能に構成することも可能である。図８は、評価部１５により表示された設定画面Ｇ２を示しており、評価対象画像１３０と、検出した主要被写体を示す枠２０１、主要被写体名２０２及びその被写体の初期ポイント２０３と、画像評価処理で設定された優先度２０４とが表示されている。なお、優先度２０４は、アップボタン２０５若しくはダウンボタン２０６の操作により増減することが可能であり、増減された結果は、評価部１５により画像記憶部１３の対応するデジタル画像の属性情報領域５２に記憶される。
【００３０】
それでは、以上のようにして設定された属性情報に基づいてこのデジタルカメラ１０において、上述の評価が行われたデジタル画像によるスライドショーを生成・表示するためのスライドショー生成部１７の処理について図９を用いて説明する。スライドショー生成部１７が実行されると、まず、画像記憶部１３に記憶されているデジタル画像のうち、属性情報部５２に優先度が設定されているデジタル画像の枚数をカウントする（ステップＳ７１）。そして、スライドショーのテンプレート（デジタル画像とともに表示される背景や装飾又は音楽等の演出若しくはデザイン）を選択する（ステップＳ７２）。このとき、テンプレートの選択は、利用者に対して登録されているテンプレートをディスプレイ２０等に表示して選択させても良いし、このスライドショー生成部１７で自動的に選択するように構成しても良い。
【００３１】
次に、画像記憶部１３から、優先度が設定されているデジタル画像の１枚を選択して読み出す（ステップＳ７３）。そして、この読み出されたデジタル画像の属性情報領域５２に設定されている優先度と所定の閾値とを比較し（ステップＳ７４）、優先度が閾値より小さい場合は、次にこのデジタル画像の属性情報領域５２に設定されている表示時間が「長い」に設定されているか否かを判断し（ステップＳ７５）、「長い」に設定されている場合は、表示時間を「標準」に設定する（ステップＳ７６）。さらに、拡大表示を「不可」に設定する（ステップＳ７７）。一方、ステップＳ７４で、優先度が閾値以上であると判断した場合は、そのデジタル画像の属性情報は変更しない。なお、ここで閾値は、例えば、画像記憶部１３に記憶されているデジタル画像に設定されている優先度の平均値とすることができる。そして、優先度が設定されているデジタル画像をすべて画像記憶部１３から読み出したか否かを判断し（ステップＳ７８）、優先度が設定されているすべてのデジタル画像に対して、上述の処理Ｓ７３〜Ｓ７７を繰り返す。以上のようにして、優先度が設定されているすべてのデジタル画像を画像記憶部１３から読み出して、表示属性が設定されると、ビデオ出力部１８を介してスライドショーがディスプレイ２０に出力される。
【００３２】
なお、スライドショー生成部１７は、画像記憶部１３に記憶されているデジタル画像のうち、優先度が設定されているデジタル画像のファイル名と、その表示属性情報（上述の表示時間及び拡大表示）をリストにしたスライドショーリストを生成し、そのリストに基づいてデジタル画像を画像記憶部１３から読み出してスライドショーを出力するように構成することも可能である。
【００３３】
デジタルカメラ１０に、以上のような画像評価システム１２を設けると、主要被写体の情報を主要被写体記憶部１４に予め登録しておくことにより、画像記憶部１３に記憶されたデジタル画像に対する属性情報（優先度や拡大表示・表示時間等の表示属性）の設定を自動的に行うことができる。そのため、スライドショーの生成・表示も容易になる。また、このような表示属性として、拡大表示の有無や表示時間の長さをデジタル画像毎に設定可能とすることにより、スライドショーによるデジタル画像の出力のバリエーションを増やすことができる。すなわち、スライドショーを表示する際に、妙齢の女性などが写っている画像は「お気に入りの画像(優先度が設定された画像）」ではあっても、大画面表示時に自分の顔が拡大表示（ズームイン）されることや、長い時間表示されることを好まない人が存在する場合でも、特定のお気に入り写真の表示時間を長くするだけでなく、この表示時間を短くすることや、被写体設定に応じてズームインの可、不可等を設定することができる。
【００３４】
なお、以上の実施例においては、画像評価システム１２をデジタルカメラ１０に設けた場合について説明したが、本発明がこの実施例に限定されることはなく、例えば、この画像評価システムを備える専用の画像表示装置として構成する場合や、ネットワークに接続されたサーバにこの画像評価システムを実装し、ネットワークに接続された端末（デジタルカメラ、携帯電話、ＰＤＡ又はパーソナルコンピュータ）からこのサーバにデジタル画像を転送して評価するように構成しても同様の効果を得ることができる。
【図面の簡単な説明】
【００３５】
【図１】本発明に係る画像評価システムが設けられたデジタルカメラの使用方法を説明する説明図である。
【図２】上記デジタルカメラの構成を示すブロック図である。
【図３】デジタル画像のデータ構造を説明するための説明図である。
【図４】主要被写体記憶部のデータ構造を説明するための説明図である。
【図５】登録画面の構成を説明するための説明図である。
【図６】画像評価処理を示すフローチャートである。
【図７】主要被写体判別処理を示すフローチャートである。
【図８】設定画面の構成を説明するための説明図である。
【図９】スライドショーの生成及び表示処理を示すフローチャートである。
【符号の説明】
【００３６】
１０  デジタルカメラ    １１  撮像部    １２  画像評価システム（画像評価装置）
１３  画像記憶部（記憶部）
１４  主要被写体記憶部（特徴情報選択部，特徴情報記憶部）    １５  評価部
１６  登録部    ５２  属性情報部（属性領域）
５２ａ  優先度領域    ５２ｂ  拡大表示領域    ５２ｃ  表示時間領域
１００  主要被写体画像（特徴情報）    １０５  初期ポイント（属性情報）
１０８  拡大表示情報（表示属性基準値）    １０９  表示時間情報（表示属性基準値）
１３０  評価対象画像
【図１】
0005069986.tif 000002
【図２】
0005069986.tif 000003
【図３】
0005069986.tif 000004
【図４】
0005069986.tif 000005
【図５】
0005069986.tif 000006
【図６】
0005069986.tif 000007
【図７】
0005069986.tif 000008
【図８】
0005069986.tif 000009
【図９】
0005069986.tif 000010